(57)【特許請求の範囲】
【請求項１】
地上に立設される支柱と横ビームとからなる柵体と、それら互いに対をなす支柱間に差し渡されるベンチ部とからなり、このベンチ部は座部の後方左右に突設された回転軸が支柱の所定の位置に穿設された軸孔に嵌合され、ベンチ部前方左右に突設された支持部に紐体が接続され、その紐体の延長部分が支柱上方の孔から支柱内に挿入されるとともに、先端には重錘が取着されて、支持部から重錘までの紐体の長さがベンチ部を水平に倒した状態で停止して支持される長さとなされ、ベンチ部は重錘の重量により通常は垂直上方に引き上げられて柵体の一部となり、人が座る際はベンチ部を重錘の重量に抗して手前下方に押し下げるようになされたことを特徴とする可倒式ベンチ付き柵。
【請求項２】
ベンチ部を水平に倒した状態にした際に重力によって自然に垂下されてベンチ部を支持するように、脚部の一端がベンチ部の裏面に軸着されてなる請求項１記載の可倒式ベンチ付き柵。
【発明の詳細な説明】
【０００１】
【発明の属する技術分野】
本発明は歩道沿い、バス停、公園、プラットホームなどに設置して使用される可倒式ベンチ付き柵に関する。
【０００２】
【従来の技術】
従来、例えば特開平１０−２０４８４１号公報に、可動ビーム両端の係止体が支柱に回動自在に取着され、その係止体付き可動ビームを支柱の手前側に倒して支柱に取着された係止部に水平に支持されてなる防護柵が開示されている。
【０００３】
しかしかかる防護柵は、ベンチとして使用する際は支柱間に垂直に支持されている係止体付き可動ビームを手で支柱後方から手前側に略４分の３回転させて係止体を係止部に支持させ、ベンチとして使用しないときは再び手で係止体付き可動ビームを支柱後方に向かって手前側から略４分の３回転させて収納しなければならず、係止体付き可動ビームの出し入れが煩雑であるという問題点がある。
【０００４】
【発明が解決しようとする課題】
本発明は、かかる従来の欠点に鑑みなされたものであり、通常は柵として使用しながらも必要に応じて簡単にベンチとして機能させ、使い終わった際にも特に収納のために手をわずらわすことなく、しかも、ベンチの座などは柵を構成する支柱径寸法の幅寸法内に収納されてしまい通行の邪魔になるような突出物のないベンチ付き柵を提供しようとするものである。
【０００５】
【課題を解決するための手段】
上記課題を解決するため、本発明可倒式ベンチ付き柵は、地上に立設される支柱と横ビームとからなる柵体と、それらの互いに対をなす支柱間に差し渡されるベンチ部とからなり、このベンチ部は座部の後方左右に突設された回転軸が支柱の所定の位置に穿設された軸孔に嵌合され、ベンチ部前方左右に突設された支持部に紐体が接続され、その紐体の延長部分が支柱上方の孔から支柱内に挿入されるとともに、先端には重錘が取着されて、支持部から重錘までの紐体の長さがベンチ部を水平に倒した状態で停止して支持される長さとなされ、ベンチ部は重錘の重量により通常は垂直上方に引き上げられて柵体の一部となり、人が座る際はベンチ部を重錘の重量に抗して手前下方に押し下げるようになされたものである。
【０００６】
本発明によれば、支柱間に支持されているベンチ部は重錘の重量により通常は垂直上方に引き上げられ、座りたいときは、ベンチ部を重錘の重量に抗して手前下方に押し下げるだけでよく、立ち上がると重錘の重量により自然に垂直上方に引き上げられて収納され、ベンチ部の出し入れが簡単である。また、ベンチ部は一対の支柱間に差し渡されるベンチ部の座部の後方左右に突設された回転軸が支柱の所定の位置に穿設された軸孔に嵌合されているので、支柱径寸法の幅寸法内にベンチの座などが収納されてしまって収納時においても通行の邪魔になるような突出物がないため通行人が引っ掛かったりする心配もなく安全である。
【０００７】
また、本発明可倒式ベンチ付き柵は、上記可倒式ベンチ付き柵のベンチ部を水平に倒した状態にした際に重力によって自然に垂下されてベンチ部を支持するように、脚部の一端がベンチ部の裏面に軸着されてなるものである。
【０００８】
これによって、ベンチ部の出し入れによって脚部も自然に出し入れがなされ、脚部についても煩雑な出し入れ作業を必要とせず、このベンチ使用中においては所定の高さを維持してベンチ部の支持がなされる。
【０００９】
【発明の実施の形態】
以下、本発明可倒式ベンチ付き柵の一実施形態例について、図１〜図３を参照しながら説明する。
【００１０】
図１において、１は柵体である。柵体１は地上に立設される支柱１１，１１とそれらの間に架設される横ビーム１２とからなる。柵体１は、図１に表すように１本の鋼管が曲折されて構成されるような一対の支柱１１，１１と横ビーム１２とが一体に形成されていてもよく、また、多数の支柱１１間に継手金具を介して横ビーム１２が架設されて組み立てられる形態の柵体であってもよい。
【００１１】
２はベンチ部である。ベンチ部２は座部２１の後方左右に回転軸２２，２２が突設され、座部２１の前方左右に支持部２３、２３が突設されている。そして、回転軸２２，２２は支柱１１，１１の所定の位置に穿設された軸孔１３，１３に嵌合され、支持部２３、２３は支柱１１の上方手前側に当接されるようになされ、ベンチ部２が支柱１１，１１のちょうど間に収納された際にもそれ以上ベンチ部２が柵体１後方側に旋回しないようになされている。
また、図３に破線で表した２４は、ベンチ部２を水平に倒した状態にした際に重力によって自然に垂下されてベンチ部２を支持するようになされる脚部であり、ベンチ部２の裏面にその一端が軸着されて重力による作動がなされている。
【００１２】
３は紐体である。この紐体３の一端は支持部２３，２３に接続され、紐体３のもう一方の延長部分は支柱１１上方の孔１４から支柱１１の内側に挿入される。紐体３は伸びの少ないステンレスワイヤーが好適に使用され、防錆や手ざわりの良さから合成樹脂層が被覆されておればなお好ましい。
【００１３】
４は重錘である。この重錘４は、支柱１１内に挿入された側の紐体３の端部に取着されており、その重錘４の重量によりベンチ部２が常時垂直上方に引き上げられるようになされている。なお、支持部２３から重錘４までの紐体３の長さは、ベンチ部２を水平に倒した状態で停止して支持されるのに適合した長さとなされている。
【００１４】
上述の、柵←→ベンチの作動を断面図に示したものが図３（ａ），（ｂ）で、図中１５は紐体３のスムーズな作動のために滑車が固定された支軸で、また１６は重錘４が所定の高さで停止するように設けられたストッパーである。
【００１５】
【発明の効果】
以上詳述したように、本発明可倒式ベンチ付き柵は、地上に立設される支柱と横ビームとからなる柵体と、それらの互いに対をなす支柱間に差し渡されるベンチ部とからなり、このベンチ部は座部の後方左右に突設された回転軸が支柱の所定の位置に穿設された軸孔に嵌合され、ベンチ部前方左右に突設された支持部に紐体が接続され、その紐体の延長部分が支柱上方の孔から支柱内に挿入されて先端には重錘が取着され、支持部から重錘までの紐体の長さがベンチ部を水平に倒した状態で停止して支持される長さとなされており、支柱間に支持されているベンチ部は重錘の重量により通常は垂直上方に引き上げられて柵体の一部となり、人が座る際はベンチ部を重錘の重量に抗して手前下方に押し下げるだけでよく、人が立ち去るとベンチ部は重錘の重量により自然に垂直上方に引き上げられ元通りに収納され、ベンチ部の出し入れが容易である。また、ベンチ部は一対の支柱間に差し渡されるベンチ部の座部の後方左右に突設された回転軸が支柱の所定の位置に穿設された軸孔に嵌合され、また支持部が支柱の上方手前側に当接されるようになされてベンチ部が支柱のちょうど間に収納された際にもそれ以上ベンチ部が柵体の後方側に旋回しないようにして収納されるので、支柱径寸法の幅寸法内にベンチの座などが収納されてしまって収納時において通行の邪魔になるような突出物がなく、通行人が引っ掛かったりするような心配もなく安全である。
【００１６】
また、ベンチ部を水平に倒した状態にした際に脚部が重力によって自然に垂下されてベンチ部を支持するように脚部の一端がベンチ部の裏面に軸着されている場合には、ベンチ部の出し入れによって脚部も自然に出し入れがなされるため、脚部についても煩雑な出し入れ作業を必要とせず、このベンチを使用中においてのみ所定の高さを維持してベンチ部の支持がなされて有用である。
【図面の簡単な説明】
【図１】  本発明可倒式ベンチ付き柵の実施形態の一例の、ベンチ部が収納された状態を示す斜視図である。
【図２】  本発明可倒式ベンチ付き柵の実施形態の一例の、ベンチ部が引き出された状態を示す斜視図である。
【図３】  図１←→図２の作動を示す断面図（ａ）←→（ｂ）である。
【符号の説明】
１    柵体
１１  支柱
１２  横ビーム
１３  軸孔
１４  孔
１５  支軸
１６  ストッパー
２    ベンチ部
２１  座部
２２  回転軸
２３  支持部
２４  脚部
３    紐体
４    重錘
【図１】
0003914412.tif 000002
【図２】
0003914412.tif 000003
【図３】
0003914412.tif 000004